(57)【特許請求の範囲】
【請求項１】
脚２で支持された床１を設け、床１に便器１０を設けると共に、床１の下方に便容器１５を取付け、便容器１５の側部に貫通孔１７を設け、貫通孔１７に液状し尿排出管２３を挿通して、液状し尿排出管２３が揺れ動かないように固定する部材は設けないで、液状し尿排出管２３を貫通孔１７に取付け、液状し尿排出管２３の内端部に固液分離器２４を設け、便容器１５は、少なくとも、貫通孔１７の周縁部を可撓性を有する膜状体１６で形成し、液状し尿排出管２３が、便容器１５の貫通孔１７の周縁部の膜状体１６と共に揺れ動けるように形成し、液状し尿排出管２３の便容器１５の外部に現出した部分に、液状し尿排出管２３揺れ動かし用の取っ手３０を設けた簡易トイレ。
【請求項２】
脚２で支持された床１を設け、床１に便器１０を設けると共に、床１の下方に便容器１５を取付け、便容器１５の側部に貫通孔１７を設け、貫通孔１７に液状し尿排出管２３を挿通して、液状し尿排出管２３が揺れ動かないように固定する部材は設けないで、液状し尿排出管２３を貫通孔１７に取付け、液状し尿排出管２３の内端部に固液分離器２４を設け、便容器１５は、少なくとも、貫通孔１７の周縁部を可撓性を有する膜状体１６で形成し、液状し尿排出管２３が、便容器１５の貫通孔１７の周縁部の膜状体１６と共に揺れ動けるように形成し、液状し尿排出管２３を、便容器１５の底部１８の上に設けた、揺動できる支持棒４１で支持した簡易トイレ。
【発明の詳細な説明】
【０００１】
【発明の属する技術分野】
本発明は、災害時などに使用する簡易トイレに関する。
【０００２】
【従来の技術】
災害時などに使用する簡易トイレは、本出願人がさきに出願した特公昭５８−１５７９４８号公報に記載されている。
【０００３】
前記公報に記載された簡易トイレは、図７に示すように、脚２で支持された床１を設け、この床１に便器１０を設けると共に、床１の下方に便容器１５を設け、便容器１５に、支承筒用蓋５１を設けた汲取りホース支承筒５０を設けると共に、便容器１５の底部１８上に、固液分離器２４を置き、この固液分離器２４に接続した液状し尿排出管２３を、前記便容器１５の側部を貫通させて便容器１５の外部に現出させたものである。
【０００４】
【発明が解決しようとする課題】
前記図７に示す簡易トイレは、便容器１５内の液状のし尿を、固液分離器２４から液状し尿排出管２３を通して便容器１５の外部に流出させ、図示してない液状し尿を排出できる箇所に排出し、汲取らなければならないし尿を小量にすることができ、便利である。
【０００５】
しかしながら、図７に示す簡易トイレは、固形物が固液分離器２４の流入孔２５を閉塞した場合に、流入孔２５から固形物を排除するのが困難である。
本発明は、前記事項に鑑みなされたものであり、簡易トイレの固液分離器の流入孔を閉塞した固形物を、簡単な構成で、簡単に排除できるようにすることを課題とする。
【０００６】
【課題を解決するための手段】
第１の発明は、脚２で支持された床１を設け、床１に便器１０を設けると共に、床１の下方に便容器１５を取付け、便容器１５の側部に貫通孔１７を設け、貫通孔１７に液状し尿排出管２３を挿通して、液状し尿排出管２３が揺れ動かないように固定する部材は設けないで、液状し尿排出管２３を貫通孔１７に取付け、液状し尿排出管２３の内端部に固液分離器２４を設け、便容器１５は、少なくとも、貫通孔１７の周縁部を可撓性を有する膜状体１６で形成し、液状し尿排出管２３が、便容器１５の貫通孔１７の周縁部の膜状体１６と共に揺れ動けるように形成して簡易トイレとした。
【０００７】
第２の発明は、第１の発明において、液状し尿排出管２３の便容器１５の外部に現出した部分に、液状し尿排出管２３揺れ動かし用の取っ手３０を設けて簡易トイレとした。
【０００８】
第３の発明又は第４の発明は、第１の発明又は第２の発明のいずれかの発明において、液状し尿排出管２３を、簡易トイレに取付けた吊下げ体３６で吊下げて支持して簡易トイレとした。
【０００９】
第５の発明又は第６の発明は、第１の発明又は第２の発明のいずれかの発明において、液状し尿排出管２３を、便容器１５の底部１８の上に設けた、揺動できる支持棒４１で支持して簡易トイレとした。
【００１０】
【発明の実施の形態】
以下図に基づいて本発明の実施の形態の説明をする。図１及び図２は本発明の一実施の形態の説明用の図である。
【００１１】
この実施の形態は、枠材３を長方形の４角形に組立て、さらに、長尺に形成された側の、１対の枠材３間には、１本の枠材３と２本の桟５を架設してある。
そして、前記４角形に組立てられた枠材３は、４本の脚２で支持されている。
【００１２】
そして、枠材３の上面には床１が設けてあり、この床１はベニヤ板の上面に塩化ビニール樹脂製の合成樹脂シートを敷設した板で形成されている。
そして、前記床１の奥寄りの位置には、便器１０装着用の孔が設けてあり、この孔に合成樹脂製の便器１０の下部が挿入され、便器１０に設けたフランジ１１が、前記床１の孔の縁に載置されて便器１０が床１に装着されている。
【００１３】
そして、床１の下方には、可撓性を有する合成樹脂製の膜状体１６で４角形の袋状に形成された便容器１５が、取付けられている。
そして、この便容器１５は、便容器１５の開口縁部に、図示してない補強用帯状片を水平方向に重ねて接着して設け、この便容器１５の補強用帯状片を重ねて設けた部分に、多数の吊下げ用孔を設け、この吊下げ用孔を、前記枠材３の内側に設けた図示してない鈎に引っ掛けて、便容器１５を床１の下方に取付けている。
【００１４】
そして、前記便容器１５の側部に貫通孔１７を設け、この貫通孔１７に逆Ｕ字状に形成した合成樹脂製の液状し尿排出管２３を挿通して、液状し尿排出管２３が揺れ動かないように固定する部材は設けないで、液状し尿排出管２３を便容器１５の貫通孔１７に液密状に取付けてある。
【００１５】
そして、液状し尿排出管２３の内端部には、流入孔２５を設けた固液分離器２４を設け、液状し尿排出管２３の上部で、便容器１５の内側となる部分には、滅菌剤収容部２６が設けてあり、この滅菌剤収容部２６には、滅菌剤収容部用蓋２７が嵌着されている。
【００１６】
そして、前記滅菌剤収容部２６の上方の床１には、滅菌剤交換用の孔が設けてあり、この孔に滅菌剤交換孔用蓋２８が嵌着されている。
そして、液状し尿排出管２３の便容器１５の外部に現出した部分には、上方に延びる鋼製又は合成樹脂製の取っ手３０が、締め付けられると環状となる締付部３１で締付けて取付けてある。
【００１７】
そして、この実施の形態の便容器１５は、さきに述べたように、全体を可撓性を有する合成樹脂製の膜状体１６で形成しているが、便容器１５は、少なくとも、便容器１５の側部の貫通孔１７の周縁部を、可撓性を有する膜状体１６で形成し、液状し尿排出管２３が、便容器１５の貫通孔１７の周縁部の膜状体１６と共に、揺れ動けるように形成してもよいものである。
【００１８】
そして、前記床１と枠材３には、４箇所に支柱装着用孔４が設けてあり、この支柱装着用孔４に、図示してない鋼製の棒で形成した支柱を立設し、この支柱を、図示してない布製シートなどで覆い、この覆った布製シートなどに出入口を設けるものである。
【００１９】
また、前記液状し尿排出管２３が設けられた側の布１の端部には、図示してないタラップが取付けられるものである。
そして、液状し尿排出管２３の排出口２９は、直接に、或は排出口２９に接続される図示してないホースによって、液状し尿を排出用水路に放出できるように形成されている。
【００２０】
図１及び図２に示す実施の形態の簡易トイレは、便容器１５内にし尿が溜ると、固形の大便の１部はし尿中の水分によって溶解する。そして、この溶解はし尿中の微生物による分解作用によって促進される。
【００２１】
そして、溶解した液状し尿は、固液分離器２４の流入孔２５から固液分離器２４内に流入し、滅菌剤収容部２６内で滅菌剤により滅菌され排出口２９から排出される。
【００２２】
そして、固液分離器２４の流入孔２５に、トイレットペーパその他の固形物が詰まると、液状し尿排出管２３からの液状し尿の排出に支障が生じる。
そこで、この実施の形態の液状し尿排出管２３に外力を加えると、液状し尿排出管２３は、液状し尿排出管２３が揺れ動かないように固定する部材は設けないで、貫通孔１７に取付け、そして、便容器１５は、少なくとも、貫通孔１７の周縁部を可撓性を有する膜状体１６で形成し、液状し尿排出管２３が便容器１５の貫通孔１７の周縁部の膜状体１６と共に揺れ動けるように形成してある。
【００２３】
したがって、液状し尿排出管２３を容易に急激に大きく揺れ動かして、固液分離器２４の流入孔２５を閉塞している固形物を流入孔２５から振り落とし、固液分離器２４の流入孔２５は開放され液状し尿が流通できるようになる。
【００２４】
そして、液状し尿排出管２３に取っ手３０を設けた発明は、液状し尿排出管２３を揺れ動かし易い。
図３及び図４は、別の実施の形態の液状し尿排出管２３を設けた部分を示すものであり、以下さきの実施の形態と同様の部分は図示を省略し、そして、図示した同様の部分は同一の符号を用い説明を省略した。
【００２５】
この実施の形態は、液状し尿排出管２３を、さらに、Ｕ字状に形成した鋼製又は合成樹脂製の吊り下げ体３６で揺れ動けるように吊下げたものである。
この吊下げ体３６は、床１に設けた吊下げ体３６の外径より若干大径に形成した挿入孔に先端を挿入してナット３７で止めたものである。そして、前記吊下げ体３６は鎖で形成することも可能である。
【００２６】
この実施の形態の液状し尿排出管２３は、吊下げ体３６でも、液状し尿排出管２３を支持するので、液状し尿排出管２３は、揺れ動かせるものでありながら安定して支持される。
【００２７】
そして、前記吊下げ体３６は、液状し尿排出管２３の大部分又は、全部の重さを、吊下げ体３６で支持するようにし形成できるものである。
そして、前記吊下げ体３６は、枠材３の部分の下方に吊下げることも可能である。
【００２８】
図５及び図６は、他の実施の形態の液状し尿排出管２３を設けた部分を示すものである。
この実施の形態は、液状し尿排出管２３を、便容器１５の底部１８の上に設けた、揺動できる支持棒４１で支持できるように形成したものである。
【００２９】
そして、前記支持棒４１は、便容器１の底部１８の上に載置した支持板４４の上に、発条４２を介して１本の支持棒４１を立設し、支持棒４１の上端にＵ字状支持部４３を形成し、このＵ字状支持部４３で、液状し尿排出管２３を支持するように形成したものである。
【００３０】
そして、前記発条４２は、長方形の弾板で形成することも可能である。
そして、この実施の形態の液状し尿排出管２３は、支持棒４１が揺動させ易く、液状し尿排出管２３の揺動を容易に行なえるものである。
【００３１】
【発明の効果】
本発明は、便容器１５に貫通孔１７を設け、貫通孔１７に液状し尿排出管２３を挿通して、液状し尿排出管２３が揺れ動かないように固定する部材は設けないで、液状し尿排出管２３を貫通孔１７に取付け、便容器１５は、貫通孔１７の周縁部を可撓性を有する膜状体１６で形成し、液状し尿排出管２３が膜状体１６と共に揺れ動けるように形成したものである。
【００３２】
したがって、本発明は、固液分離器２４の流入孔２５に固形物が詰まった場合に、液状し尿排出管２３に外力を加えて揺すると、液状し尿排出管２３は、容易に急激に大きく揺れ動き、固液分離器２４の流入孔２５を閉塞している固形物を振り落とし、流入孔２５を開放するので、液状し尿排出管２３は、良好に液状し尿を外部に排出できる。
【００３３】
さらに、液状し尿排出管２３に取っ手３０を設けた発明は、液状し尿排出管２３を揺れ動かし易い。
さらに、液状し尿排出管２３を、吊下げ体３６で吊下げて支持した発明は、液状し尿排出管２３が揺れ動かせるものでありながら、安定して支持させることができる。
【００３４】
さらに、液状し尿排出管２３を、揺動できる支持棒４１で支持した発明は、支持棒４１が揺動させ易く、液状し尿排出管２３の揺動を容易に行なえるものである。
【図面の簡単な説明】
【図１】本発明の一実施の形態の一部破断した要部の正面図
【図２】本発明の一実施の形態の要部の平面図
【図３】本発明の別の実施の形態の要部の正面図
【図４】本発明の別の実施の形態の要部の平面図
【図５】本発明の他の実施の形態の要部の正面図
【図６】本発明の他の実施の形態の要部の平面図
【図７】従来例の破断した側面図
【符号の説明】
１  床
２  脚
３  枠材
４  支柱装着用孔
５  桟
１０  便器
１１  フランジ
１５  便容器
１６  膜状体
１７  貫通孔
１８  底部
２３  液状し尿排出管
２４  固液分離器
２５  流入孔
２６  滅菌剤収容部
２７  滅菌剤収容部用蓋
２８  滅菌剤交換孔用蓋
２９  排出口
３０  取っ手
３１  締付部
３６  吊下げ体
３７  ナット
４１  支持棒
４２  発条
４３  Ｕ字状支持部
４４  支持板
５０  汲取ホース支承筒
５１  支承筒用蓋
【図１】
0003848391.tif 000002
【図２】
0003848391.tif 000003
【図３】
0003848391.tif 000004
【図４】
0003848391.tif 000005
【図５】
0003848391.tif 000006
【図６】
0003848391.tif 000007
【図７】
0003848391.tif 000008